(57)【特許請求の範囲】
【請求項１】
複数の端末装置への充電が可能な充電装置であって、
当該充電装置に前記端末装置が載置された場合に、その載置された位置を検出する位置検出手段と、
この位置検出手段によって検出された載置位置に基づいて、前記載置された端末装置の位置を明示するように制御する制御手段と、
を具備したことを特徴とする充電装置。
【請求項２】
複数の発光体を有する第１発光手段と、
この第１発光手段を構成する複数の発光体のうち、前記位置検出手段によって検出された載置位置に応じて発光対象となる発光体を選択する第１選択手段と、
を更に備え、
前記制御手段は、前記第１選択手段によって選択された発光体を発光させることによって、前記載置された端末装置の位置を明示するように制御する、
ようにしたことを特徴とする請求項１記載の充電装置。
【請求項３】
当該充電装置に前記端末装置が載置された場合に、既に載置されている他の端末装置の台数を検出する台数検出手段と、
この台数検出手段によって検出された台数に基づいて、前記第１発光手段を構成する発光体の発光色を特定する第１特定手段と、
を更に備え、
前記制御手段は、前記第１選択手段によって選択された発光体を、前記第１特定手段によって特定された発光色で発光させるように制御する、
ようにしたことを特徴とする請求項２記載の充電装置。
【請求項４】
前記第１発光手段とは異なる複数の発光体を有する第２発光手段と、
前記第１選択手段によって選択された発光体に基づいて、前記第２発光手段を構成する複数の発光体の中から発光対象となる発光体を選択する第２選択手段と、
を更に備え、
前記制御手段は、前記第１選択手段によって選択された第１発光手段の発光体を発光させると共に、前記第２選択手段によって選択された第２発光手段の発光体を発光させるように制御する、
ようにしたことを特徴とする請求項２記載の充電装置。
【請求項５】
当該充電装置に前記端末装置が載置された場合に、既に載置されている他の端末装置の台数を検出する台数検出手段と、
この台数検出手段によって検出された台数に基づいて、前記第１発光手段を構成する発光体の発光色を特定する第１特定手段と、
この第１特定手段によって特定された発光色に基づいて、前記第２発光手段を構成する発光体の発光色を特定する第２特定手段と、
を更に備え、
前記制御手段は、前記第２発光手段を構成する発光体を、前記第２特定手段によって特定された発光色で発光させるように制御する、
ようにしたことを特徴とする請求項４記載の充電装置。
【請求項６】
前記第１発光手段とは異なる複数の発光体を有する第２発光手段と、
当該充電装置に前記端末装置が載置された場合に、既に載置されている他の端末装置の台数を検出する台数検出手段と、
前記第２発光手段を構成する複数の発光体のうち、前記台数検出手段によって検出された台数に応じて発光対象となる発光体を選択する第３選択手段と、
を更に備え、
前記制御手段は、前記第１選択手段によって選択された第１発光手段の発光体を発光させると共に、前記第３選択手段によって選択された第２発光手段の発光体を発光させるように制御する、
ようにしたことを特徴とする請求項２記載の充電装置。
【請求項７】
前記台数検出手段によって検出された台数に基づいて、前記第１発光手段を構成する発光体の発光色を特定する第１特定手段と、
この第１特定手段によって特定された発光色に基づいて、前記第２発光手段を構成する発光体の発光色を特定する第２特定手段と、
を更に備え、
前記制御手段は、前記第２発光手段を構成する発光体を、前記第２特定手段によって特定された発光色で発光させるように制御する、
ようにしたことを特徴とする請求項６記載の充電装置。
【請求項８】
前記第１発光手段を構成する複数の発光体は、前記端末装置が載置される載置面にそれぞれ配設し、
前記第２発光手段を構成する複数の発光体は、前記載置面とは異なる面にそれぞれ配設した、
ことを特徴とする請求項４、請求項６いずれか記載の充電装置。
【請求項９】
前記端末装置の充電状況を検出する充電検出手段と、
この充電検出手段によって検出された充電状況に基づいて前記発光体の発光色を特定する第３特定手段と、
を更に備え、
前記制御手段は、前記選択された発光体を前記第３特定手段によって特定された発光色で発光させるように制御する、
ようにしたことを特徴とする請求項２、請求項４、請求項６いずれか記載の充電装置。
【請求項１０】
前記端末装置の充電状況を検出する充電検出手段と、
この充電検出手段によって検出された充電状況に基づいて前記発光体の点滅パターンを特定する第４特定手段と、
を更に備え、
前記制御手段は、前記選択された発光体を前記第４特定手段によって特定された点滅パターンで発光させるように制御する、
ようにしたことを特徴とする請求項２、請求項４、請求項６いずれか記載の充電装置。
【請求項１１】
複数の端末装置と、該複数の端末装置への充電が可能な充電装置とからなる充電システムであって、
前記充電装置は、
前記端末装置が載置された場合に、既に載置されている他の端末装置の台数を検出する台数検出手段と、
前記載置された端末装置に対して、前記台数検出手段によって検出された前記他の端末装置の台数を送信する送信手段と、
を具備し、
前記端末装置は、
前記充電装置に載置された場合に、前記送信手段から既に載置されている他の端末装置の台数を受信する受信手段と、
この受信手段によって受信された台数に基づいて、前記他の端末装置の台数を明示するように制御する制御手段と、
を具備したことを特徴とする充電システム。
【請求項１２】
前記端末装置は、
発光体を有する発光手段と、
前記受信手段によって受信された台数に基づいて、前記発光手段の発光体の発光色を特定する第１特定手段と、
を更に備え、
前記制御手段は、前記第１特定手段によって特定された発光色で前記発光体を発光させるように制御する、
ようにしたことを特徴とする請求項１１記載の充電システム。
【請求項１３】
前記端末装置は、
当該端末装置の充電状況を検出する充電検出手段と、
この充電検出手段によって検出された充電状況に基づいて前記発光体の発光色を特定する第２特定手段と、
を更に備え、
前記制御手段は、前記発光体を前記第２特定手段によって特定された発光色で発光させるように制御する、
ようにしたことを特徴とする請求項１２記載の充電システム。
【請求項１４】
前記端末装置は、
前記端末装置の充電状況を検出する充電検出手段と、
この充電検出手段によって検出された充電状況に基づいて前記発光体の点滅パターンを特定する第３特定手段と、
を更に備え、
前記制御手段は、前記発光体を前記第３特定手段によって特定された点滅パターンで発光させるように制御する、
ようにしたことを特徴とする請求項１２記載の充電システム。
【請求項１５】
コンピュータに対して、
複数の端末装置への充電が可能な充電装置に前記端末装置が載置された場合に、その載置された位置を検出する機能と、
前記検出された載置位置に基づいて、前記載置された端末装置の位置を明示するように制御する機能と、
を実現させるためのプログラム。
【請求項１６】
前記充電装置に前記端末装置が載置された場合に、既に載置されている他の端末装置の台数を検出する機能と、
前記検出された台数に基づいて、前記他の端末装置の台数を明示するように制御する機能と、
を更に実現させるための請求項１５に記載のプログラム。
【発明の詳細な説明】
【技術分野】
【０００１】
本発明は、複数の端末装置への充電が可能な充電装置及び充電システム並びにプログラムに関する。
【背景技術】
【０００２】
近年、携帯電話機などの端末装置への充電を行う充電装置としては、複数の端末装置を同時に充電することが可能なものが実用化されている。例えば、充電用の一次コイルを備えた充電シート状の充電器を用いて、複数の被充電機器を充電するようにした無接点充電システムが開示されている（特許文献１参照）。この種の充電装置にあっては、充電シート上に端末装置を載置する際に、厳密な位置に載置する必要がないため、比較的自由に載置することが可能となるというメリットを有している。
【先行技術文献】
【特許文献】
【０００３】
【特許文献１】特開２００５−００６４４０号公報
【発明の概要】
【発明が解決しようとする課題】
【０００４】
ところで、複数の端末装置を同時に充電可能な充電装置にあっては、１台の端末装置のみ充電可能な充電装置に比べて、様々な状況において端末装置がどの位置に載置されているか、正常に載置されたのか、どのような順序で載置されているのか、などの載置状況をユーザに対して適切に認識させる必要がある。例えば、周囲が暗い状況では、既に載置されている端末装置や自己が載置した端末装置の載置状況をユーザに対して認識させることは重要なことである。
【０００５】
本発明の課題は、端末装置の載置状況をユーザに対して適切に認識させることができるようにすることである。
【課題を解決するための手段】
【０００６】
上述した課題を解決するために請求項１記載の発明は、複数の端末装置への充電が可能な充電装置であって、当該充電装置に前記端末装置が載置された場合に、その載置された位置を検出する位置検出手段と、この位置検出手段によって検出された載置位置に基づいて、前記載置された端末装置の位置を明示するように制御する制御手段と、を具備したことを特徴とする。
【０００７】
請求項１に従属する発明として、複数の発光体を有する第１発光手段と、この第１発光手段を構成する複数の発光体のうち、前記位置検出手段によって検出された載置位置に応じて発光対象となる発光体を選択する第１選択手段と、を更に備え、前記制御手段は、前記第１選択手段によって選択された発光体を発光させることによって、前記載置された端末装置の位置を明示するように制御する、ようにしたことを特徴とする請求項２記載の発明であってもよい。
【０００８】
請求項２に従属する発明として、当該充電装置に前記端末装置が載置された場合に、既に載置されている他の端末装置の台数を検出する台数検出手段と、この台数検出手段によって検出された台数に基づいて、前記第１発光手段を構成する発光体の発光色を特定する第１特定手段と、を更に備え、前記制御手段は、前記第１選択手段によって選択された発光体を、前記第１特定手段によって特定された発光色で発光させるように制御する、ようにしたことを特徴とする請求項３記載の発明であってもよい。
【０００９】
請求項２に従属する発明として、前記第１発光手段とは異なる複数の発光体を有する第２発光手段と、前記第１選択手段によって選択された発光体に基づいて、前記第２発光手段を構成する複数の発光体の中から発光対象となる発光体を選択する第２選択手段と、を更に備え、前記制御手段は、前記第１選択手段によって選択された第１発光手段の発光体を発光させると共に、前記第２選択手段によって選択された第２発光手段の発光体を発光させるように制御する、ようにしたことを特徴とする請求項４記載の発明であってもよい。
【００１０】
請求項４に従属する発明として、当該充電装置に前記端末装置が載置された場合に、既に載置されている他の端末装置の台数を検出する台数検出手段と、この台数検出手段によって検出された台数に基づいて、前記第１発光手段を構成する発光体の発光色を特定する第１特定手段と、この第１特定手段によって特定された発光色に基づいて、前記第２発光手段を構成する発光体の発光色を特定する第２特定手段と、を更に備え、前記制御手段は、前記第２発光手段を構成する発光体を、前記第２特定手段によって特定された発光色で発光させるように制御する、ようにしたことを特徴とする請求項５記載の発明であってもよい。
【００１１】
請求項２に従属する発明として、前記第１発光手段とは異なる複数の発光体を有する第２発光手段と、当該充電装置に前記端末装置が載置された場合に、既に載置されている他の端末装置の台数を検出する台数検出手段と、前記第２発光手段を構成する複数の発光体のうち、前記台数検出手段によって検出された台数に応じて発光対象となる発光体を選択する第３選択手段と、を更に備え、前記制御手段は、前記第１選択手段によって選択された第１発光手段の発光体を発光させると共に、前記第３選択手段によって選択された第２発光手段の発光体を発光させるように制御する、ことを特徴とする請求項６記載の発明であってもよい。
【００１２】
請求項６に従属する発明として、前記台数検出手段によって検出された台数に基づいて、前記第１発光手段を構成する発光体の発光色を特定する第１特定手段と、この第１特定手段によって特定された発光色に基づいて、前記第２発光手段を構成する発光体の発光色を特定する第２特定手段と、を更に備え、前記制御手段は、前記第２発光手段を構成する発光体を、前記第２特定手段によって特定された発光色で発光させるように制御する、ようにしたことを特徴とする請求項７記載の発明であってもよい。
【００１３】
請求項４、請求項６いずれかに従属する発明として、前記第１発光手段を構成する複数の発光体は、前記端末装置が載置される載置面にそれぞれ配設し、前記第２発光手段を構成する複数の発光体は、前記載置面とは異なる面にそれぞれ配設した、ことを特徴とする請求項８記載の発明であってもよい。
【００１４】
請求項２、請求項４、請求項６いずれかに従属する発明として、前記端末装置の充電状況を検出する充電検出手段と、この充電検出手段によって検出された充電状況に基づいて前記発光体の発光色を特定する第３特定手段と、を更に備え、前記制御手段は、前記選択された発光体を前記第３特定手段によって特定された発光色で発光させるように制御する、
ようにしたことを特徴とする請求項９記載の発明であってもよい。
【００１５】
請求項２、請求項４、請求項６いずれかに従属する発明として、前記端末装置の充電状況を検出する充電検出手段と、この充電検出手段によって検出された充電状況に基づいて前記発光体の点滅パターンを特定する第４特定手段と、を更に備え、前記制御手段は、前記選択された発光体を前記第４特定手段によって特定された点滅パターンで発光させるように制御する、ようにしたことを特徴とする請求項１０記載の発明であってもよい。
【００１６】
また、上述した課題を解決するために請求項１１記載の発明は、複数の端末装置と、該複数の端末装置への充電が可能な充電装置とからなる充電システムであって、前記充電装置は、前記端末装置が載置された場合に、既に載置されている他の端末装置の台数を検出する台数検出手段と、前記載置された端末装置に対して、前記台数検出手段によって検出された前記他の端末装置の台数を送信する送信手段と、を具備し、前記端末装置は、前記充電装置に載置された場合に、前記送信手段から既に載置されている他の端末装置の台数を受信する受信手段と、この受信手段によって受信された台数に基づいて、前記他の端末装置の台数を明示するように制御する制御手段と、を具備したことを特徴とする。
【００１７】
請求項１１に従属する発明として、前記端末装置は、発光体を有する発光手段と、前記受信手段によって受信された台数に基づいて、前記発光手段の発光体の発光色を特定する第１特定手段と、を更に備え、前記制御手段は、前記第１特定手段によって特定された発光色で前記発光体を発光させるように制御する、ようにしたことを特徴とする請求項１２記載の発明であってもよい。
【００１８】
請求項１２に従属する発明として、前記端末装置は、当該端末装置の充電状況を検出する充電検出手段と、この充電検出手段によって検出された充電状況に基づいて前記発光体の発光色を特定する第２特定手段と、を更に備え、前記制御手段は、前記発光体を前記第２特定手段によって特定された発光色で発光させるように制御する、ようにしたことを特徴とする請求項１３記載の発明であってもよい。
【００１９】
請求項１２に従属する発明として、前記端末装置は、前記端末装置の充電状況を検出する充電検出手段と、この充電検出手段によって検出された充電状況に基づいて前記発光体の点滅パターンを特定する第３特定手段と、を更に備え、前記制御手段は、前記発光体を前記第３特定手段によって特定された点滅パターンで発光させるように制御する、ようにしたことを特徴とする請求項１４記載の発明であってもよい。
【００２０】
また、上述した課題を解決するために請求項１５記載の発明は、コンピュータに対して、複数の端末装置への充電が可能な充電装置に前記端末装置が載置された場合に、その載置された位置を検出する機能と、前記検出された載置位置に基づいて、前記載置された端末装置の位置を明示するように制御する機能と、を実現させるためのプログラムを特徴とする。
【００２１】
請求項１２に従属する発明として、前記充電装置に前記端末装置が載置された場合に、既に載置されている他の端末装置の台数を検出する機能と、前記検出された台数に基づいて、前記他の端末装置の台数を明示するように制御する機能と、を更に実現させるための請求項１５に記載の発明であってもよい。
【発明の効果】
【００２２】
本発明によれば、端末装置の載置状況をユーザに対して適切に認識させることができ、利便性を高めることが可能となる。
【図面の簡単な説明】
【００２３】
【図１】端末装置として適用した携帯電話機が利用可能な通信ネットワークシステムを示したブロック図。
【図２】携帯電話機１の基本的な構成要素を示したブロック図。
【図３】充電装置２の基本的な構成要素を示したブロック図。
【図４】携帯電話機１及び充電装置２の外観図。
【図５】（１）、（２）は、充電装置２を構成する筐体の載置面２ａ及び一側面２ｂに配設されている発光体ＬＥＤ（１）、ＬＥＤ（２）などの配設状態を示し外観図。
【図６】（１）、（２）は、携帯電話機１側の発光方法特定情報記憶部Ｍ１４及び充電装置２側の発光方法特定情報記憶部Ｍ２３を説明するための図。
【図７】携帯電話機１側の載置状況記憶部Ｍ１５を説明するための図。
【図８】（１）、（２）は、充電装置２側のＬＥＤ選択情報記憶部Ｍ２４を説明するための図。
【図９】充電装置２側の載置状況記憶部Ｍ２５を説明するための図。
【図１０】電源投入に伴って実行開始される携帯電話機１側の全体動作の概要を示したフローチャート。
【図１１】電源投入に伴って実行開始される充電装置２側の全体動作の概要を示したフローチャート。
【図１２】携帯電話機１側及び充電装置２側で実行される通信処理（図１０のステップＡ５、図１１のステップＢ４）を詳述するためのフローチャート。
【図１３】充電装置２側で実行される発光体ＬＥＤ（１）選択処理（図１１のステップＢ５）を詳述するためのフローチャート。
【図１４】充電装置２側で実行される発光体ＬＥＤ（２）選択処理（図１１のステップＢ６）を詳述するためのフローチャート。
【図１５】発光色特定処理（図１０のステップＡ６、図１１のステップＢ７）を詳述するためのフローチャート。
【図１６】点滅パターン特定処理（図１０のステップＡ１１、図１１のステップＢ１０）を詳述するためのフローチャート。
【図１７】充電装置２側で実行される発光色変更処理（図１１のステップＢ１４）を詳述するためのフローチャート。
【図１８】第２実施形態において、充電装置２の側面２ｂを正面から見た場合の外観図。
【図１９】第２実施形態における発光方法特定情報記憶部Ｍ１４、Ｍ２３を説明するための図。
【図２０】第２実施形態における充電装置２側のＬＥＤ選択情報記憶部Ｍ２４を説明するための図。
【図２１】第２実施形態において、充電装置２側で実行される発光体ＬＥＤ（２）選択処理（図１１のステップＢ６）を詳述するためのフローチャート。
【図２２】第２実施形態において、図１６の点滅パターン特定処理（図１０のステップＡ１１、図１１のステップＢ１０）に代わって実行され、図１５の発光色特定処理（図１０のステップＡ６、図１１のステップＢ７）とは異なる発光色特定処理を示したフローチャート。
【発明を実施するための形態】
【００２４】
（実施形態１）
【００２５】
以下、図１〜図１７を参照して本発明の第１実施形態を説明する。
本実施形態は、端末装置として携帯電話機に適用した場合を例示したもので、図１は、この携帯電話機が利用可能な通信ネットワークシステムを示したブロック図である。
携帯電話機１は、例えば、２つの筐体（操作部筐体、表示部筐体）が開閉可能に取り付けられた折り畳み自在なもので、この折り畳みタイプの携帯電話機１には音声通話機能、電子メール機能、インターネット接続機能（Ｗｅｂアクセス機能）などを備え、この携帯電話機１への充電は、充電装置２に載置することによって行うようにしている。
【００２６】
充電装置２は、複数の携帯電話機１を同時に充電可能なもので、例えば、商用電源などに電源ケーブル３を介して接続されている。携帯電話機１は、最寄りの基地局４Ａ、交換機４Ｂから無線通信網（移動体通信網）４に接続されると、この無線通信網４を介して他の携帯電話機（図示省略）との間で通話可能な状態となる。また、携帯電話機１は、無線通信網４を介してインターネット５に接続されると、電子メールの送受信が可能となったり、Ｗｅｂページを閲覧可能となったりする。
【００２７】
図２は、携帯電話機１の基本的な構成要素を示したブロック図である。
中央制御部１１は、二次電池（図示省略）を備えた電池部１２からの電力供給によって動作し、記憶部１３内の各種のプログラムに応じてこの携帯電話機１の全体動作を制御する中央演算処理装置やメモリ（図示省略）などを有している。電池部１２は、携帯電話機（自機）１が充電装置２に載置されている状態において、充電装置２との間で非接触充電方式（例えば、電磁誘導方式）によって充電を行うもので、充電用二次コイルＣＯＬ（２）を有する構成となっている。記憶部１３には、プログラム記憶部Ｍ１１、各種情報一時記憶部Ｍ１２、端末識別情報記憶部Ｍ１３、発光方法特定情報記憶部Ｍ１４、載置状況記憶部Ｍ１５などが設けられている。なお、記憶部１３は、例えば、ＳＤカード、ＩＣカードなど、着脱自在な可搬型メモリ（記録メディア）を含む構成であってもよく、図示しない所定の外部サーバ上にあってもよい。
【００２８】
プログラム記憶部Ｍ１１は、後述する図１０、図１２（１）、図１５、図１６に示した動作手順に応じて本実施形態を実現するための基本プログラムやアプリケーションプログラム、それに必要な情報などを記憶する。各種情報一時記憶部Ｍ１２は、フラグ情報（後述する載置フラグなど）、タイマ情報、画面情報など、携帯電話機１が動作するために必要な各種の情報を一時的に記憶するワーク領域である。端末識別情報記憶部Ｍ１３は、自機を識別するための端末識別情報（例えば、電話番号や製造番号などのように携帯電話機１を識別可能な任意の識別情報）を記憶するもので、充電装置２に対して送信される。なお、発光方法特定情報記憶部Ｍ１４、載置状況記憶部Ｍ１５については、後述するものとする。
【００２９】
無線通信部１４は、図示しない無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して通話用スピーカＳＰから音声出力させ、また、通話用マイクＭＣからの入力音声データを音声信号処理部１５から取り込み、送信ベースバンド信号に符号化したのち、ベースバンド部の送信側に与えてアンテナＡＮ１から発信出力させる。
【００３０】
表示部１６は、高精細液晶や有機ＥＬを使用し、例えば、待受画像、アイコン、日時情報のほか、テキストデータ、メール、Ｗｅｂページなどを表示するもので、折り畳みタイプの携帯電話機１の折り畳みを開いた状態で露出するメイン表示部１６ａのほかに、サブ表示部１６ｂを有している。なお、表示部１６は携帯電話機１に備えられている表示部としたが、外部モニタなど、任意の外部表示装置であってもよい。操作部１７は、ダイヤル入力、文字入力、コマンド入力などを入力するもので、中央制御部１１は、この操作部１７からの入力操作信号に応じた処理を実行する。ＲＴＣ（リアルタイムクロックモジュール）１８は、時計部を構成するもので、中央制御部１１は、ＲＴＣ１８から現在日時を取得する。
【００３１】
報知部１９は、サウンドスピーカＳＮＳ、発光体ＬＥＤ（０）、振動モータＶＩＭを備え、着信時に駆動されて着信報知を行うほか、アラーム報知時、充電時にも駆動される。更に、発光体ＬＥＤ（０）は、携帯電話機（自機）１が充電装置２に載置されている状態においてその載置状況を報知する報知手段としても利用可能なもので、例えば、赤、緑、青の三原色のＬＥＤ（発光ダイオード）群を使用することによって多色表示が可能な構成となっている。非接触通信部２０は、携帯電話機１が充電装置２に載置されている状態において、充電装置２との間で非接触通信によってデータの送受信を、アンテナＡＮ２を介して行うもので、例えば、非接触ＩＣカード、Bluetooth（登録商標）、赤外線通信などの非接触タイプの近距離通信手段によって構成されている。
【００３２】
図３は、充電装置２の基本的な構成要素を示したブロック図である。
充電装置２は、中央制御部２１を中核とするもので、商用電源（図示省略）などから電源ケーブル接続部２２を介して供給される電力によって動作する。中央制御部２１は、記憶部２３内の各種のプログラムに応じてこの充電装置２の全体動作を制御するもので、中央演算処理装置やメモリ（図示省略）などを有している。この記憶部２３には、プログラム記憶部Ｍ２１、各種情報一時記憶部Ｍ２２、発光方法特定情報記憶部Ｍ２３、ＬＥＤ選択情報記憶部Ｍ２４、載置状況記憶部Ｍ２５などが設けられている。
【００３３】
プログラム記憶部Ｍ２１は、後述する図１１、図１２（２）、図１３〜図１７に示した動作手順に応じて本実施形態を実現するためのプログラムやそれに必要な情報などを記憶する。各種情報一時記憶部Ｍ２２は、フラグ情報など、充電装置２が動作するために必要な各種の情報を一時的に記憶するワーク領域である。なお、発光方法特定情報記憶部Ｍ２３、ＬＥＤ選択情報記憶部Ｍ２４、載置状況記憶部Ｍ２５については、後述するものとする。
【００３４】
充電部２４は、携帯電話機１が充電装置２に載置されている状態において、携帯電話機１との間で非接触充電方式（例えば、電磁誘導方式）によって充電を行うもので、複数の充電用一次コイルＣＯＬ（１）を有する構成となっている。非接触通信部２５は、携帯電話機１が充電装置２に載置されている状態において、携帯電話機１との間で非接触通信によってデータの送受信を、アンテナＡＮ３を介して行うもので、例えば、非接触ＩＣカード、Bluetooth（登録商標）、赤外線通信などの非接触タイプの近距離通信手段によって構成されている。
【００３５】
位置検出部２６は、携帯電話機１が載置される充電装置２の載置面において、その各所に配設された複数の接触センサＴＯＳを有し、この接触センサＴＯＳの検出結果に応じて携帯電話機１がどの位置に載置されたのかを示す載置位置を検出するようにしている。操作部２７は、電源オン／オフキーなどを有し、中央制御部２１は、操作に応じた処理を行う。発光部２８は、携帯電話機１が充電装置２に載置された際に、その載置状況を報知するために発光するもので、充電装置２の各所に配設されている発光体ＬＥＤ（１）と、この発光体ＬＥＤ（１）の配設位置とは異なる各所に配設されている発光体ＬＥＤ（２）とを有する構成で、各発光体ＬＥＤ（１）、発光体ＬＥＤ（２）は、例えば、赤、緑、青の三原色のＬＥＤ（発光ダイオード）群を使用することによって多色表示が可能な構成となっている。
【００３６】
図４は、携帯電話機１及び充電装置２の外観図を示である。
折り畳みタイプの携帯電話機１において図示の例は、携帯電話機１を折り畳んで各筐体を閉じた状態を示し、この閉じた状態においてもサブ表示部１６ｂ及び発光体ＬＥＤ（０）をユーザが視認可能な状態となる。充電装置２は、その筐体全体が長方形状の薄型箱体を成し、その上面は携帯電話機１への充電時に携帯電話機１が載置される載置面２ａとなっている。この載置面２ａには、発光部２８を構成する複数の発光体ＬＥＤ（１）がマトリクス状（２行×８列）に配設されている。この１６個の発光体ＬＥＤ（１）は、載置面２ａの全体に亘って等間隔に配設されたもので、各発光体ＬＥＤ（１）の発光領域は円形を成している。
【００３７】
また、充電装置２の一側面（正面）２ｂには、４個の発光体ＬＥＤ（２）が等間隔に配設されている。この４個の発光体ＬＥＤ（２）は、側面２ｂの全体に亘って等間隔に配設されたもので、各発光体ＬＥＤ（２）の発光領域は横長の楕円を成し、発光体ＬＥＤ（１）の発光領域に対してその４倍程度の大きさとなっている。なお、図４では図示省略したが、充電装置を構成する筐体内においてその載置面２ａの下方には、充電部２４を構成する複数の充電用一次コイルＣＯＬ（１）が配設されている。
【００３８】
図５は、充電装置２を構成する筐体の載置面２ａ及び一側面２ｂに配設されている発光体ＬＥＤ（１）、ＬＥＤ（２）などの配設状態を示すと共に、更に、図５（１）は、充電装置２の載置面２ａを上から見た場合の外観図、（２）は、充電装置２の側面２ｂを正面から見た場合の外観図である。
充電装置２を構成する筐体の上面を携帯電話機１が載置される載置面２ａにおいて、図中、“丸型の図形”は、発光体ＬＥＤ（１）を示し、“四角形の図形”は、位置検出部２６を構成する接触センサＴＯＳを示し、“環状の破線”は、充電部２４を構成する充電用一次コイルＣＯＬ（１）を示している。ここで、図示の例において、マトリクス状に配設されている１６個の発光体ＬＥＤ（１）は、図中、左側グループと右側グループの２つのグループに分けられている。図中、横方向を列方向、縦方向を行方向とすると、各グループのＬＥＤ（１）は、２行×４列の構成で、左側グループ内の各発光体ＬＥＤ（１）は、符号Ａ〜Ｈによって示され、右側グループ内の各発光体ＬＥＤ（１）は、符号Ｉ〜Ｐによって示されている。
【００３９】
そして、各グループにおいてその奇数列目と偶数列目の発光体ＬＥＤ（１）との間、例えば、左側グループ内では“Ａ”と“Ｃ”との間、“Ｂ”と“Ｄ”との間、“Ｅ”と“Ｇ”との間、“Ｆ”と“Ｈ”との間には、接触センサＴＯＳが一つずつ配設されている。また、左側グループ内の接触センサＴＯＳは、符号ａ〜ｄによって示され、右側グループ内の接触センサＴＯＳは、符号ｅ〜ｈによって示されている。また、グループ毎に各発光体ＬＥＤ（１）を結ぶような環状線に沿って、充電部２４を構成する充電用一次コイルＣＯＬ（１）がそれぞれ配設されている。そして、載置面２ａ上の各発光体ＬＥＤ（１）は、携帯電話機１が載置された位置に応じて選択的に発光される。すなわち、位置検出部２６によって携帯電話機１がどの位置に載置されたのかが検出されると、１６個の各発光体ＬＥＤ（１）のうち、その載置位置に応じた発光体ＬＥＤ（１）が発光対象として選択されて発光されるようにしている。
【００４０】
また、充電装置２の一側面２ｂにおいて横一列に等間隔に配設されている４個の発光体ＬＥＤ（２）は、複数の発光体ＬＥＤ（１）に対応した位置に配設されているもので、図中、右側グループと左側グループの２つのグループに分けられている。この左側グループ内の各発光体ＬＥＤ（２）は、符号Ｗ、Ｘによって示され、右側グループ内の各発光体ＬＥＤ（２）は、符号Ｙ、Ｚによって示されている。この４個の発光体ＬＥＤ（２）のうち、発光対象として選択した発光体ＬＥＤ（１）に対応する位置の発光体ＬＥＤ（２）を発光対象として選択するようにしている。すなわち、充電装置２は、携帯電話機１を載置した位置に基づいて、載置面２ａ側の発光体ＬＥＤ（１）を発光対象として選択すると共に、選択した発光体ＬＥＤ（１）に対応した位置に配設されている側面２ｂ側の発光体ＬＥＤ（２）を更に発光対象として選択することによって、携帯電話機１の載置位置に基づいて複数の発光体として発光体ＬＥＤ（１）及び発光体ＬＥＤ（２）を選択して発光させるようにしている。
【００４１】
図６は、携帯電話機１側の発光方法特定情報記憶部Ｍ１４及び充電装置２側の発光方法特定情報記憶部Ｍ２３を説明するための図である。
この第１実施形態においては、携帯電話機１側の発光方法特定情報記憶部Ｍ１４と充電装置２側の発光方法特定情報記憶部Ｍ２３とは同一内容となっており、携帯電話機１が充電装置２に載置させた際に、充電装置２は、自己の発光方法特定情報記憶部Ｍ２３の内容を携帯電話機１に対して送信することによって携帯電話機１側の発光方法特定情報記憶部Ｍ１４にコピー記憶させるようにしている。
【００４２】
携帯電話機１は、充電装置２からの発光方法特定情報を受信して自己の発光方法特定情報記憶部Ｍ１４にそのままコピー記憶させるようにしているが、これに限らず、例えば、発光方法特定情報記憶部Ｍ１４、Ｍ２３は、携帯電話機１と充電装置２とは無関係に別個独立したものであってもよい。また、後述するが、携帯電話機１側に発光方法特定情報記憶部Ｍ１４を設けずに、充電装置２側のみに発光方法特定情報記憶部Ｍ２３を設けるようにしてもよい。
【００４３】
発光方法特定情報記憶部Ｍ１４、Ｍ２３は、発光体の発光方法（発光色、点滅パターン）を特定するための情報を記憶するもので、図６（１）は、台数に関する発光色特定情報を示し、図６（２）は、充電状況に関する点滅パターン特定情報を示している。すなわち、図６（１）に示した発光方法特定情報記憶部Ｍ１４、Ｍ２３は、発光体ＬＥＤ（０）又は、発光体ＬＥＤ（１）及び発光体ＬＥＤ（２）を何色で発光させるかの発光色特定情報を記憶するもので、自機の載置が何台目であるかを示す台数に対応して、発光体ＬＥＤ（０）又は、発光体ＬＥＤ（１）及び発光体ＬＥＤ（２）を発光させる際の発光色を記憶する構成となっている。この場合、携帯電話機１、充電装置２は、台数に基づいて発光色特定情報を検索して、対応する発光色を特定するようにしている。なお、図示の例は、台数に対応する発光色の情報として、１台目には“オレンジ”、２台目には“黄”、３台目には“緑”、４台目には“柴”、…が記憶されている場合を示している。
【００４４】
また、図６（２）に示した発光方法特定情報記憶部Ｍ１４、Ｍ２３は、発光体ＬＥＤ（０）又は、発光体ＬＥＤ（１）及び発光体ＬＥＤ（２）の点滅パターン特定情報を記憶するもので、携帯電話機１の充電状況に対応して、発光体ＬＥＤ（０）又は、発光体ＬＥＤ（１）及び発光体ＬＥＤ（２）を点滅させる際の点滅パターンを記憶する構成となっている。この場合、携帯電話機１、充電装置２は、充電状況に基づいて点滅パターン特定情報を検索して、対応する点滅パターンを特定するようにしている。なお、図示の例は、充電状況に対応する点滅パターンとして、充電中（正常充電）の場合には“点灯”、充電終了後の場合には“低速点滅”、充電異常の場合には“高速点滅”、…が記憶されている場合を示している。また、ユーザ操作によって発光方法特定情報記憶部Ｍ１４、Ｍ２３の内容を任意に設定可能としてもよい。
【００４５】
図７は、携帯電話機１側の載置状況記憶部Ｍ１５を説明するための図である。
載置状況記憶部Ｍ１５は、携帯電話機１を充電装置２に載置した際の載置状況を記憶するもので、現在、今回載置した携帯電話機１は何台目であるかを示す台数と、現在の発光方法（発光色、点滅パターン）を載置状況として記憶する構成となっている。ここで、図示の例は、現在の載置状況として“２台目”、“黄色”、“点灯”が記憶されている場合を示している。
【００４６】
図８は、充電装置２側のＬＥＤ選択情報記憶部Ｍ２４を説明するための図である。
図８（１）に示すＬＥＤ選択情報記憶部Ｍ２４は、発光体ＬＥＤ（１）を選択するための選択情報を記憶するもので、発光部２８を構成する各発光体ＬＥＤ（１）、つまり、載置面２ａ上に配設されている各発光体ＬＥＤ（１）のうち、位置検出部２６の接触センサＴＯＳによって検出された帯電話機１の載置位置に基づいて、どの発光体を発光対象として選択するかを示すＬＥＤ（１）選択情報を記憶する構成となっている。
【００４７】
すなわち、図８（１）のＬＥＤ選択情報記憶部Ｍ２４は、載置された「位置（接触センサ）」と、発光させる「発光体ＬＥＤ（１）」とを対応付けて記憶する構成となっている。例えば、図５に示すように、携帯電話機１が載置されたことを検出した接触センサＴＯＳが符号“ａ”で示される接触センサＴＯＳあれば、発光対象として発光体ＬＥＤ（１）として“Ａ”と“Ｂ”を選択し、携帯電話機１の載置を検出した接触センサＴＯＳが“ｈ”であれば、発光させる発光体ＬＥＤ（１）として“Ｏ”と“Ｐ”を選択して発光させるようにしている。つまり、中央制御部２１は、帯電話機１の載置位置に基づいて発光部２８を制御して、携帯電話機１が載置された位置又はその近傍の発光体ＬＥＤ（１）を発光させるようにしている。
【００４８】
図８（２）に示すＬＥＤ選択情報記憶部Ｍ２４は、発光体ＬＥＤ（２）を選択するための選択情報を記憶するもので、発光部２８を構成する各発光体ＬＥＤ（２）、つまり、側面２ｂ上に配設されている各発光体ＬＥＤ（２）のうち、載置面２ａ上のどの発光体ＬＥＤ（１）が発光対象として選択されたかによって、発光させる発光体ＬＥＤ（２）を選択するための選択情報を記憶する構成となっている。すなわち、図８（２）のＬＥＤ選択情報記憶部Ｍ２４は、発光対象として選択された「発光体ＬＥＤ（１）」と、発光させる「発光体ＬＥＤ（２）」とを対応付けて記憶する構成となっている。例えば、図５に示すように、“Ａ”〜“Ｄ”のいずれかの発光体ＬＥＤ（１）が発光されたときには、発光させる発光体ＬＥＤ（２）として“Ｗ”を選択し、“Ｍ”〜“Ｐ”のいずれかの発光体ＬＥＤ（１）が発光されたときには、発光させる発光体ＬＥＤ（２）として“Ｚ”を選択して発光させるようにしている。
【００４９】
図９は、充電装置２側の載置状況記憶部Ｍ２５を説明するための図である。
載置状況記憶部Ｍ２５は、携帯電話機１が載置されている場合に、載置されている携帯電話機１毎にその載置状況を記憶するもので、「端末識別情報」、「台数」、「位置」、「発光体ＬＥＤ（１）」、「発光体ＬＥＤ（２）」、「発光色」、「点滅パターン」を載置状況として記憶する構成となっている。「端末識別情報」は、携帯電話機１を識別するための情報として、例えば、電話番号や製造番号などのように、携帯電話機１を識別可能な情報である。
【００５０】
「台数」は何台目の載置であるかを示し、「位置」は、携帯電話機１が載置された載置位置又はその近傍の接触センサＴＯＳを示し、携帯電話機１の載置位置は、図５の符号ａ〜ｈで示している。「発光体ＬＥＤ（１）」は、携帯電話機１の載置位置に応じて発光されている発光体ＬＥＤ（１）を示し、「発光体ＬＥＤ（２）」は、発光体ＬＥＤ（１）の発光に応じて発光されている発光体ＬＥＤ（２）を示している。「発光色」は、何台目の載置であるかの台数に基づいて特定された発光色を示し、「点滅パターン」は、携帯電話機１への充電状況に応じた点滅パターンを示している。
【００５１】
次に、第１実施形態における携帯電話機１の動作概念を図１０〜図１７に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００５２】
図１０は、電源投入に伴って実行開始される携帯電話機１側の全体動作の概要を示したフローチャートである。図１１は、電源投入に伴って実行開始される充電装置２側の全体動作の概要を示したフローチャートである。
先ず、携帯電話機１側において中央制御部１１は、電源を投入する電源オン操作が行われると（図１０のステップＡ１でＹＥＳ）、充電装置２に載置されたことを検出したかを調べたり（ステップＡ２）、携帯電話機１が充電装置２に載置中であることを示す載置フラグが“１”であるかを調べたり（ステップＡ７）、充電装置２との載置が外れたかを調べたり（ステップＡ１２）、電話着信を検出したかを調べたり（ステップＡ１６）、電源オフ操作が行われたかを調べたり（ステップＡ１８）、その他の操作が行われたかを調べたりする（ステップＡ２０）。
【００５３】
ここで、電話着信を検出すると（ステップＡ１６でＹＥＳ）、通話可能状態とする通話処理を行った後（ステップＡ１７）、上述のステップＡ２に戻る。また、電源オフ操作が行われると（ステップＡ１８でＹＥＳ）、電源オフ処理を行った後（ステップＡ１９）、このフローの終了となるが、その他の操作が行われたときには（ステップＡ２０でＹＥＳ）、その操作に応じた処理として、例えば、発信処理などを行った後（ステップＡ２１）、上述のステップＡ２に戻る。
【００５４】
一方、充電装置２側において中央制御部２１は、電源を投入する電源オン操作が行われると（図１１のステップＢ１でＹＥＳ）、携帯電話機１の載置を検出したかを調べたり（ステップＢ２）、携帯電話機１から電池残量情報を受信したかを調べたり（ステップＢ８）、載置されている携帯電話機１が外されたかを調べたり（ステップＢ１１）、電源オフ操作が行われたかを調べたり（ステップＢ１５）、その他の操作が行われたかを調べたりする（ステップＢ１７）。いま、電源オフ操作が行われると（ステップＢ１５でＹＥＳ）、電源オフ処理を行った後（ステップＢ１６）、このフローの終了となるが、その他の操作が行われたときには（ステップＢ１７でＹＥＳ）、その操作に応じた処理を行った後（ステップＢ１８）、上述のステップＢ２に戻る。
【００５５】
いま、携帯電話機１側において、携帯電話機１の載置を検出すると、つまり、携帯電話機１側の電池部１２と充電装置２側の充電部２４との間において、電磁誘導作用による起電力が所定値よりも大きくなって、携帯電話機１が充電装置２に載置されたことを検出したときには（図１０のステップＡ２でＹＥＳ）、充電装置２に載置中であることを示すために載置フラグを“１”とする（ステップＡ３）。そして、電池部１２に備えられている二次電池への充電を開始させると共に（ステップＡ４）、携帯電話機１側の非接触通信部２０と充電装置２側の非接触通信部２５との間での通信処理を開始させる（ステップＡ５）。
【００５６】
また、充電装置２側においても、携帯電話機１側と同様に、携帯電話機１が載置されたことを検出すると、つまり、携帯電話機１側の電池部１２と充電装置２側の充電部２４との電磁誘導作用によって充電装置２に載置されたことを検出すると（図１１のステップＢ２でＹＥＳ）、携帯電話機１側への充電を開始させると共に（ステップＢ３）、携帯電話機１側の非接触通信部２０と充電装置２側の非接触通信部２５との間での通信処理を開始させる（ステップＢ４）。
【００５７】
図１２は、携帯電話機１側及び充電装置２側で実行される通信処理（図１０のステップＡ５、図１１のステップＢ４）を詳述するためのフローチャートで、図１２（１）は、携帯電話機１側での通信処理（図１０のステップＡ５）、図１２（２）は、充電装置２側での通信処理（図１１のステップＢ４）を示している。
先ず、携帯電話機１側では、端末識別情報記憶部Ｍ１３から自機の端末識別情報を読み出して（図１２（１）のステップＣ１）、非接触通信部２０から充電装置２に対して送信した後（ステップＣ２）、充電装置２から送信されて来る発光方法特定情報の受信待ち状態となる（ステップＣ３）。
【００５８】
ここで、充電装置２側では、携帯電話機１から端末識別情報を受信すると（図１２（２）のステップＣ１１）、この端末識別情報を載置状況記憶部Ｍ２５に追加記憶した後（ステップＣ１２）、発光方法特定情報記憶部Ｍ２３の内容、つまり、図６（１）の発光色特定情報及び図６（２）の点滅パターン特定情報を読み出して（ステップＣ１３）、非接触通信部２５を介して携帯電話機１へ送信する（ステップＣ１４）。そして、今回の携帯電話機１の載置は何台目であるかの台数を検出すると共に（ステップＣ１５）、その台数を載置状況として載置状況記憶部Ｍ２５に記憶させた後（ステップＣ１６）、非接触通信部２５を介して携帯電話機１へ送信する（ステップＣ１７）。ここで、今回の携帯電話機１の載置は何台目であるかの台数を検出する場合に、載置状況記憶部Ｍ２５を参照し、その最新の「台数（最大値）」に“１”を加算することによって、今回の携帯電話機１の載置を含めた合計載置台数を求めるようにしているが、その台数の検出の仕方は任意であり、後述する検出方法であってもよい。
【００５９】
携帯電話機１側では、充電装置２側から非接触通信部２０を介して発光方法特定情報を受信すると（図１２（１）のステップＣ３でＹＥＳ）、この受信情報を自機の情報として発光方法特定情報記憶部Ｍ１４に記憶させた後（ステップＣ４）、充電装置２から送信されて来る台数の受信待ち状態となる（ステップＣ５）。ここで、充電装置２から非接触通信部２０を介して送信されて来た台数を受信すると（ステップＣ５でＹＥＳ）、この台数を載置状況記憶部Ｍ１５に記憶させる（ステップＣ６）。
【００６０】
上述のような通信処理（図１０のステップＡ５）が終わると、携帯電話機１側では、発光色特定処理（図１０のステップＡ６）を実行した後、点滅パターン特定処理に移る（ステップＡ１１）。一方、充電装置２側において、上述のような通信処理（図１１のステップＢ４）が終わると、発光体ＬＥＤ（１）選択処理（図１１のステップＢ５）、発光体ＬＥＤ（２）選択処理（ステップＢ６）及び発光色特定処理（ステップＢ７）を実行した後、点滅パターン特定処理に移る（ステップＢ１０）。
ここで、上述の発光体ＬＥＤ（１）選択処理（図１１のステップＢ５）、発光体ＬＥＤ（２）選択処理（図１１のステップＢ６）、発光色特定処理（図１０のステップＡ６、図１１のステップＢ７）、点滅パターン特定処理（図１０のステップＡ１１、図１１のステップＢ１０）について順次説明するものとする。
【００６１】
図１３は、充電装置２側で実行される発光体ＬＥＤ（１）選択処理（図１１のステップＢ５）を詳述するためのフローチャートである。
先ず、中央制御部２１は、位置検出部２６を構成する各接触センサＴＯＳのうち、どの接触センサＴＯＳが携帯電話機１の載置を検出したかによって載置位置を検出する（ステップＤ１）。この場合、複数の接触センサＴＯＳが携帯電話機１の載置を検出した場合には、つまり、複数の接触センサＴＯＳの上に携帯電話機１が載置された場合には、複数の接触センサＴＯＳの中点を載置位置として検出する。これによって載置位置（接触センサ）が検出されると、この載置位置に基づいてＬＥＤ選択情報記憶部Ｍ２４を検索し、ＬＥＤ（１）選択情報（図８（１）参照）の中から当該載置位置に対応付けられている発光体ＬＥＤ（１）を読み出し（ステップＤ２）、この発光体ＬＥＤ（１）を載置面２ａ側の発光対象として選択した後（ステップＤ３）、この発光対象の発光体ＬＥＤ（１）を上述の載置位置と共に載置状況記憶部Ｍ２５に記憶させる（ステップＤ４）。
【００６２】
図１４は、充電装置２側で実行される発光体ＬＥＤ（２）選択処理（図１１のステップＢ６）を詳述するためのフローチャートである。
先ず、中央制御部２１は、上述の発光体ＬＥＤ（１）選択処理によって発光対象として選択された載置面２ａ側の発光体ＬＥＤ（１）を載置状況記憶部Ｍ２５から読み出し（ステップＥ１）、この発光対象の発光体ＬＥＤ（１）に基づいてＬＥＤ選択情報記憶部Ｍ２４を検索し、発光体ＬＥＤ（２）選択情報（図８（２）参照）の中から発光体ＬＥＤ（１）に対応付けられている発光体ＬＥＤ（２）を読み出し（ステップＥ２）、この発光体ＬＥＤ（２）を側面２ｂ側の発光対象として選択した後（ステップＥ３）、この発光対象の発光体ＬＥＤ（２）を載置状況記憶部Ｍ２５に記憶させる（ステップＥ４）。
【００６３】
図１５は、携帯電話機１側及び充電装置２側で実行される発光色特定処理（図１０のステップＡ６、図１１のステップＢ７）を詳述するためのフローチャートである。なお、携帯電話機１側の発光色特定処理（図１０のステップＡ６）と充電装置２側の発光色特定処理（図１１のステップＢ７）とは同一内容となっているため、携帯電話機１側の処理について説明し、充電装置２側の処理につてはその説明を省略するものとする。
先ず、中央制御部１１は、載置状況記憶部Ｍ１５から「台数」を読み出す（図１５のステップＦ１）。そして、読み出した「台数」に基づいて発光方法特定情報記憶部Ｍ１４を参照し、発光色特定情報（図６（１）参照）の中から当該「台数」に該当する「発光色」を読み出す（ステップＦ２）。これによって「発光色」が特定されると（ステップＦ３）、この「発光色」を載置状況記憶部Ｍ１５に記憶させる（ステップＦ４）。
【００６４】
図１６は、点滅パターン特定処理（図１０のステップＡ１１、図１１のステップＢ１０）を詳述するためのフローチャートである。なお、携帯電話機１側の点滅パターン特定処理（図１０のステップＡ１１）と充電装置２側の点滅パターン特定処理（図１１のステップＢ１０）とは基本的に同一内容となっているために、携帯電話機１側の処理について詳述し、充電装置２側の処理につてはその特徴部分のみを説明するものとする。
先ず、中央制御部１１は、充電中、充電終了後、充電異常などの現在の充電状況を検出した後（図１６のステップＧ１）、検出した充電状況に基づいて発光方法特定情報記憶部Ｍ１４を参照し、点滅パターン特定情報（図６（２）参照）の中から当該充電状況に該当する「点滅パターン」を読み出す（ステップＧ２）。これによって「点滅パターン」が特定されると（ステップＧ３）、この「点滅パターン」を載置状況記憶部Ｍ１５に記憶させる（ステップＧ４）。なお、充電異常とは、電池部１２が所定の温度より高温になるなどしてこれ以上充電を継続させるのが危険であると判断される状態のことを指す。
【００６５】
そして、上述のようにして特定した発光色及び点滅パターンで発光体を発光させる（ステップＧ５）。この場合、携帯電話機１側においては、発光体ＬＥＤ（０）を、上述のように特定した発光色及び点滅パターンで発光させる。その結果、載置状況記憶部Ｍ１５の内容が図７に示すような場合には、発光体ＬＥＤ（０）が“黄色”で点灯されることになる。また、充電装置２側においては、上述の発光体ＬＥＤ（１）選択処理によって選択された載置面側の発光体ＬＥＤ（１）と、上述の発光体ＬＥＤ（２）選択処理によって選択された側面側の発光体ＬＥＤ（２）とを上述のようにして特定した発光色及び点滅パターンでそれぞれ発光させる。その結果、載置状況記憶部Ｍ２５の内容が図９に示すような場合には、２台目の載置時には、“Ｍ”、“Ｎ”、“Ｏ”、“Ｐ”の発光体ＬＥＤ（１）と“Ｚ”の発光体ＬＥＤ（２）が“黄色”で“点灯”発光されることになる。
【００６６】
このようにして携帯電話機１側において、上述の発光色特定処理（図１０のステップＡ６）及び点滅パターン特定処理（ステップＡ１１）が終了すると、上述のステップＡ２に戻る。
同様に、充電装置２側においても、発光色特定処理（図１１のステップＢ７）及び点滅パターン特定処理（ステップＢ１０）が終了すると、上述のステップＢ２に戻る。
【００６７】
ここで、携帯電話機１側において、載置フラグが“１”の場合（図１０ステップＡ７でＹＥＳ）、つまり、携帯電話機１を充電装置２に載置している場合には、所定のタイミング（例えば、１秒）毎に、以下の処理を実行する（図１０のステップＡ８〜Ａ１１）。先ず、電池部１２の電池残量と充電異常を検出して（ステップＡ８）、自己の端末識別情報と共に、この電池残量情報（充電異常の有無を含む）を非接触通信部２０から充電装置２に対して送信した後（ステップＡ９）、検出した電池残量に応じて充電の継続あるいは充電終了を制御する（ステップＡ１０）。すなわち、電池残量が満充電状態でなければ、充電をそのまま継続させるが、満充電の状態や充電異常の状態であれば、その時点で充電を終了させる。
そして、上述した点滅パターン特定処理に移る（ステップＡ１１）。この場合、点滅パターン特定処理において充電継続中であれば、発光体ＬＥＤ（０）を特定した発光色で点灯させるが、満充電状態で充電を終了させたときには、発光体ＬＥＤ（０）を特定した発光色で低速点滅させ、充電異常で充電を終了させたときには、発光体ＬＥＤ（０）を特定した発光色で高速点滅させる。
【００６８】
また、充電装置２側において、携帯電話機１側から非接触通信部２５を介して電池残量情報を受信すると（図１１のステップＢ８でＹＥＳ）、この電池残量情報に応じて充電の継続あるいは充電終了を制御する（ステップＢ９）。この場合、電池残量が満充電状態でなければ、充電をそのまま継続させるが、満充電状態や充電異常状態であれば、充電を終了させる。そして、上述した点滅パターン特定処理に移る（ステップＢ１０）。ここで、充電継続中であれば、発光体ＬＥＤ（１）及び発光体ＬＥＤ（２）を特定した発光色で点灯させるが、満充電状態で充電を終了であれば、発光体ＬＥＤ（１）及び発光体ＬＥＤ（２）を特定した発光色で低速点滅させ、充電異常で充電を終了であれば、発光体ＬＥＤ（１）及び発光体ＬＥＤ（２）を特定した発光色で高速点滅させる。
【００６９】
一方、携帯電話機１側において、充電装置２への載置が外れたことを検出すると（図１０のステップＡ１２でＹＥＳ）、電池部１２への充電を終了させると共に（ステップＡ１３）、発光体ＬＥＤ（０）を消光させる（ステップＡ１４）。そして、載置フラグを“０”とした後（ステップＡ１５）、上述のステップＡ２に戻る。
また、充電装置２側において、携帯電話機１の載置が外れたことを検出すると（図１１ステップＢ１１でＹＥＳ）、携帯電話機１への充電を終了させると共に（ステップＢ１２）、発光体ＬＥＤ（１）及び発光体ＬＥＤ（２）を消光させる（ステップＢ１３）。そして、発光色変更処理を実行した後（ステップＢ１４）、上述の点滅パターン特定処理に移る（ステップＢ１０）。
【００７０】
図１７は、充電装置２側で実行される発光色変更処理（図１１のステップＢ１４）を詳述するためのフローチャートである。この発光色変更処理は、一つの携帯電話機１が外れることによって、まだ、載置中の携帯電話機１の台数が変更されるが、この台数の変更に応じて発光色を変更する処理である。
先ず、中央制御部２１は、載置状況記憶部Ｍ２５から、今回外された携帯電話機１に関する載置状況を消去した後（図１７のステップＨ１）、現在、載置されている携帯電話機１の台数を変更する（ステップＨ２）。例えば、３台目に載置された携帯電話機１が外された場合には、それまで４番目であった台数を３番目に変更し、５番目であった台数を４番目に変更するなど、外された携帯電話機１以降の台数を変更する。
【００７１】
これによって変更した台数を、対応する端末識別情報で示される携帯電話機１宛に非接触通信部２５を介して送信する（ステップＨ３）。この場合、台数が変更された全ての携帯電話機１に対して、変更後の新たな台数を送信する。携帯電話機１側では、図１２−１で示した通信処理の場合と同様に、充電装置２側からの台数を受信すると、これを載置状況記憶部Ｍ１５に記憶させてその台数を変更する処理を行う。次に、充電装置２側では、載置状況記憶部Ｍ２５を参照し、発光色に関する特定情報（図６（１）参照）の中から当該変更台数に該当する「発光色」を読み出すことで（ステップＨ４）、該当する「発光色」を特定して（ステップＨ５）、載置状況記憶部Ｍ２５に記憶させる（ステップＨ６）。
【００７２】
以下、同様に、携帯電話機１が充電装置２に載置される毎に（図１０のステップＡ２、図１１のステップＢ２でＹＥＳ）、上述の動作が繰り返される（図１０のステップＡ３〜Ａ６、Ａ１１、図１１のステップＢ３〜Ｂ７、Ｂ１０）。また、携帯電話機１が充電装置２から外される毎に（図１０のステップＡ１２、図１１のステップＢ１１でＹＥＳ）、上述の動作が繰り返される（（図１０のステップＡ１３〜Ａ１５、図１１のステップＢ１０、Ｂ１２〜Ｂ１４）。
【００７３】
以上のように、第１実施形態において充電装置２は、その載置面２ａ上に携帯電話機１が載置された場合に、その載置された位置を明示するようにしたので、載置位置をユーザに分かりやすく適切に認識させることができると共に、正常に載置されたのか（正常に充電されているか）を知ることができるなど、特段に有益なものとなり、利便性を高めることが可能となる。
【００７４】
充電装置２は、携帯電話機１が載置された場合に、その載置位置に応じて発光対象となる発光体を選択して発光させるようにしたので、携帯電話機１が載置された位置を発光体によって強調して（目立たせて）報知することができると共に、発光による報知のためにユーザにあっては暗闇など、様々な状況において携帯電話機１がどの位置に載置されているかを知ることができる。
【００７５】
充電装置２は、携帯電話機１が載置された場合に、既に載置されている携帯電話機１の台数に基づいて発光体ＬＥＤ（１）の発光色を特定して、その発光色で発光させるようにしたので、何番目に載置させたかに応じて発光色を変えることができ、複数の携帯電話機１が載置されている状態で、携帯電話機１が載置された順番をユーザに分かりやすく適切に認識させることができると共に、何番目の載置であるかを知らせることで充電状況の推測にも役立てることが可能となる。
【００７６】
充電装置２は、複数の発光体ＬＥＤ（１）に対応した位置に配設されている複数の発光体ＬＥＤ（２）のうち、発光対象として選択した発光体ＬＥＤ（１）に対応した位置の発光体ＬＥＤ（２）を更に発光対象として選択して発光させるようにしたので、携帯電話機１を載置した位置に応じて発光体ＬＥＤ（１）と共に発光体ＬＥＤ（２）を選択して発光させることができる。これによって、異なる位置に配設されている複数の発光体によって携帯電話機１が載置された位置を報知することができ、ユーザに適切にその位置を認識させることが可能となる。
【００７７】
充電装置２は、携帯電話機１が載置された場合に、既に載置されている携帯電話機１の台数に基づいて発光体ＬＥＤ（１）の発光色を特定して、その発光色で発光させると共に、この発光体ＬＥＤ（１）の発光色に基づいて、発光体ＬＥＤ（２）の発光色を特定して、その発光色で発光させるようにしたので、載置面２ａの発光体ＬＥＤ（１）の発光色に対応した色で側面２ｂの発光体ＬＥＤ（１）を発光させることができる。
【００７８】
充電装置２は、複数の発光体ＬＥＤ（１）を携帯電話機１の載置面にそれぞれ配設し、発光体ＬＥＤ（２）をこの載置面とは異なる面にそれぞれ配設するようにしたので、異なる面に配設されている発光体ＬＥＤ（１）及び発光体ＬＥＤ（２）によって携帯電話機１の載置位置や載置された順番をユーザに適切に認識させることができる。
【００７９】
充電装置２は、携帯電話機１への充電状況に基づいて特定した点滅パターンで発光させるようにしたので、携帯電話機１の充電状況をユーザに適切に認識させることができる。
【００８０】
携帯電話機１は、充電装置２に載置された場合に、既に載置されている他の携帯電話機１の台数に基づいて、その載置台数を明示するようにしたので、充電装置２に載置された順番をユーザに分かりやすく適切に認識させることができる。この場合、充電装置２側に特別な報知手段を設けなくても、載置された順番をユーザに認識させることができると共に、何番目の載置であるかを知らせることで充電状況の推測に役立てることも可能となる。
【００８１】
携帯電話機１は、携帯電話機１の台数に基づいて、発光体の発光色を特定して、発光させるようにしたので、ユーザにあっては暗闇など、様々な状況において充電装置２に載置された順番を知ることができる。
【００８２】
携帯電話機１は、その充電状況に基づいて特定した点滅パターンで発光させるようにしたので、携帯電話機１の充電状況をユーザに適切に認識させることができる。
【００８３】
なお、上述した第１実施形態において携帯電話機１は、充電装置２に載置された際に、充電装置２側の発光方法特定情報記憶部Ｍ２３の内容を受信して、携帯電話機１側の発光方法特定情報記憶部Ｍ１４として記憶（コピー）するほか、充電装置２側で検出された台数を受信して、載置状況記憶部Ｍ１５に記憶するようにしたが、充電装置２側では、検出台数に基づいて発光方法特定情報記憶部Ｍ２３を検索し、検出台数に対応する発光方法特定情報（発光色）を携帯電話機１に送信し、携帯電話機１側では、充電装置２からの発光方法特定情報（発光色）を受信して載置状況記憶部Ｍ１５に記憶するようにしてもよい。同様に、充電装置２側で検出した充電状況に基づいて発光方法特定情報記憶部Ｍ２３を検索し、充電状況に対応する発光方法特定情報（点滅パターン）を携帯電話機１に送信し、携帯電話機１側では、充電装置２からの発光方法特定情報（点滅パターン）を受信して載置状況記憶部Ｍ１５に記憶するようにしてもよい。この場合、携帯電話機１側の発光方法特定情報記憶部Ｍ１４を設けずに、充電装置２側のみに発光方法特定情報記憶部Ｍ２３を設ければよく、また、充電装置２側で検出された台数の送受信も不要となる。
【００８４】
上述した第１実施形態においては、充電状況に対応する発光方法特定情報（点滅パターン）として、充電中（正常充電）の場合には“点灯”、充電終了後の場合には“低速点滅”、充電異常の場合には“高速点滅”を示したが、これに限らず、例えば、充電終了間際を点滅表示で報知するなど、任意の点灯方法や点滅パターンであってもよい。
また、上述した第１実施形態においては、充電状況に対応する発光方法特定情報として、点滅パターンを示したが、これに限らず、輝度の変化であってもよい。
【００８５】
（実施形態２）
以下、この発明の第２実施形態について図１８〜図２２を参照して説明する。
なお、上述した第１実施形態においては、何台目の載置であるかに応じて発光色を特定すると共に、充電状況に応じて点滅パターンを特定するようにしたが、この第２実施形態においては、何台目の載置であるかに応じて発光色を特定するほか、充電状況に応じて発光色を特定するようにしたものである。すなわち、現在の充電状況が充電中であれば、第１実施形態と同様に、何台目の載置であるかに応じて発光色を特定し、充電中以外（例えば、充電終了後など）であれば、その充電状況に応じて発光色を特定するようにしたものである。
【００８６】
また、上述した第１実施形態においては、携帯電話機１が載置された載置位置に基づいて発光対象となる発光体ＬＥＤ（１）と共に、発光体ＬＥＤ（２）を選択して発光させるようにしたが、この第２実施形態においては、複数の発光体ＬＥＤ（２）の中から携帯電話機１の台数に基づいて発光体ＬＥＤ（２）を選択して発光させるようにしたものである。つまり、筐体の側面２ｂに横一列に配設されている複数の発光体ＬＥＤ（２）を台数に基づいて発光させることによって何台目の載置であるかを報知するようにしたものである。
ここで、両実施形態において基本的あるいは名称的に同一のものは、同一符号を付して示し、その説明を省略すると共に、以下、第２実施形態の特徴部分を中心に説明するものとする。
【００８７】
図１８は、第２実施形態において、充電装置２の側面２ｂを正面から見た場合の外観図である。
上述した第１実施形態と同様に、４個の発光体ＬＥＤ（２）が横一列に等間隔に配設されており、各発光体ＬＥＤ（２）に付された符号“Ｗ”、“Ｘ”、“Ｙ”、“Ｚ”に対応して、充電装置２の側面２ｂには、何番目に載置されたかの順番を示す数字“１”、“２”、“３”、“４”が印刷形成されている。図示の例では、符号“Ｗ”、“Ｘ”、“Ｙ”、“Ｚ”と数字“１”、“２”、“３”、“４”とを対応付けた場合を示している。なお、第２実施形態においても載置面２ａ上に配設されている発光体ＬＥＤ（１）などは、上述した第１実施形態と同様である。
【００８８】
図１９は、第２実施形態における発光方法特定情報記憶部Ｍ１４、Ｍ２３を説明するための図である。
第２実施形態の発光方法特定情報記憶部Ｍ１４、Ｍ２３は、上述した第１実施形態で示した点滅パターン特定情報に代わって、発光色特定情報を記憶する構成となっている。すなわち、図６（１）で示した発光色特定情報は、自機の載置が何台目であるかの台数に基づいて発光色を特定する際に使用されるもので、第１実施形態と同様の内容となっている。図１９は、図６（２）で示した点滅パターン特定情報に代わる発光色特定情報を示したもので、第２実施形態においては、２種類の発光色特定情報を使用するため、以下、図６（１）に示した情報を“発光色特定情報Ａ”、図１９に示した情報を“発光色特定情報Ｂ”と呼称するものとする。
【００８９】
図示の例において、発光色特定情報Ｂは、充電状況に対応する発光色として、充電中の場合には“台数に対応する発光色”が記憶され、充電終了後の場合には“青”
が記憶され、充電異常の場合には“赤”、…が記憶されている。なお、“台数に対応する発光色”とは、充電中であれば、何台目の載置かに応じて図６（１）の“発光色特定情報Ａ”を参照することによって特定された台数対応の発光色を示している。なお、この第２実施形態においても発光方法特定情報記憶部Ｍ１４、Ｍ２３の内容をユーザ操作によって任意に設定可能としてもよい。
【００９０】
図２０は、第２実施形態において充電装置２側のＬＥＤ選択情報記憶部Ｍ２４を説明するための図である。
第２実施形態のＬＥＤ選択情報記憶部Ｍ２４は、発光体ＬＥＤ（２）を選択するための選択情報として、上述した第１実施形態で示したＬＥＤ選択情報（図８（２）参照）に代わって、図２０のＬＥＤ選択情報を記憶するものである。なお、発光体ＬＥＤ（１）を選択するための選択情報は、上述した第１実施形態と同様の内容となっている（図８（１）参照）。図２０のＬＥＤ選択情報記憶部Ｍ２４は、何台目の載置であるかを示す「台数」と、発光させる「発光体ＬＥＤ（２）」を記憶する構成となっている。なお、図示の例では、台数に対応する発光体として、１台目の場合には“Ｗ”を選択し、２台目の場合には“Ｘ”を選択し、３台目の場合には“Ｙ”を選択し、４台目の場合には“Ｚ”を選択するようにした場合を示している。
【００９１】
図２１は、第２実施形態において、充電装置２側で実行される発光体ＬＥＤ（２）選択処理（図１１のステップＢ６）を詳述するためのフローチャートである。
先ず、中央制御部２１は、上述の通信処理（図１１のステップＢ４）によって載置状況記憶部Ｍ２５に記憶させた台数を読み出し（図２１のステップＩ１）、この台数に基づいてＬＥＤ選択情報記憶部Ｍ２４を検索し、発光体ＬＥＤ（２）選択情報（図２０参照）から台数に対応付けられている発光体ＬＥＤ（２）を読み出し（ステップＩ２）、この発光体ＬＥＤ（２）を側面２ｂ側の発光対象として選択した後（ステップＩ３）、この発光対象の発光体ＬＥＤ（２）を載置状況記憶部Ｍ２５に記憶させる（ステップＩ４）。
【００９２】
図２２は、図１６の点滅パターン特定処理（図１０のステップＡ１１、図１１のステップＢ１０）に代わって実行され、かつ、図１５の発光色特定処理（図１０のステップＡ６、図１１のステップＢ７）とは異なる発光色特定処理を示したフローチャートである。なお、図１６の点滅パターン特定処理（図１０のステップＡ１１、図１１のステップＢ１０）に代わって実行される図２２の発光色特定処理と、図１５の発光色特定処理（図１０のステップＡ６、図１１のステップＢ７）とを区別するために、この第２実施形態では、図１５の処理を“発光色特定処理Ａ”、また、図２１の処理を“発光色特定処理Ｂ”と呼称するものとする。なお、携帯電話機１側の発光色特定処理Ｂと充電装置２側の発光色特定処理Ｂとは基本的に同一内容となっているために、携帯電話機１側の処理について詳述し、充電装置２側の処理につてはその特徴部分のみを説明するものとする。
【００９３】
先ず、中央制御部１１は、充電中、充電終了後、充電異常などの現在の充電状況を検出する（図２２のステップＪ１）。そして、この充電状況に基づいて充電中（正常充電中）であるかを調べ（ステップＪ２）、充電中であれば（ステップＪ２でＹＥＳ）、上述した発光色特定情報Ａを参照することによって特定された台数対応の発光色で発光体を発光（点灯）させる（ステップＪ３）。この場合、携帯電話機１側においては、発光体ＬＥＤ（０）を、特定した発光色で発光（点灯）させる。また、充電装置２側においては、図１３の発光体ＬＥＤ（１）選択処理によって選択された載置面２ａ側の発光体ＬＥＤ（１）と、図２１の発光体ＬＥＤ（２）選択処理によって選択された側面２ｂ側の発光体ＬＥＤ（２）とを、特定した発光色でそれぞれ発光（点灯）させる。
【００９４】
一方、充電状況が満充電状態で充電終了後、充電異常状態で充電終了後などのように充電中以外であれば（ステップＪ２でＮＯ）、検出した充電状況に基づいて、図１９の発光方法特定情報記憶部Ｍ１４を参照し、発光色特定情報Ｂ（図１９参照）の中から当該充電状況に該当する「発光色」を読み出す（ステップＪ４）。これによって発光色Ｂが特定されると（ステップＪ５）、この発光色Ｂを載置状況記憶部Ｍ１５に記憶させる（ステップＪ６）。このようにして特定した発光色で発光体を発光（点灯）させる（ステップＪ７）。この場合、満充電状態で充電終了後の場合には発光色として青色が発光され、充電異常の場合には赤色が発光される。また、携帯電話機１側においては、発光体ＬＥＤ（０）を、上述のように特定した発光色で発光（点灯）させる。また、充電装置２側においては、上述の発光体ＬＥＤ（１）選択処理によって選択された載置面２ａ側の発光体ＬＥＤ（１）と、上述の発光体ＬＥＤ（２）選択処理によって選択された側面２ｂ側の発光体ＬＥＤ（２）とを上述のようにして特定した発光色でそれぞれ発光（点灯）させる。
【００９５】
以上のように、第２実施形態において充電装置２は、携帯電話機１が載置された場合に、充電装置２の側面２ａ側に配設されている複数の発光体ＬＥＤ（２）のうち、携帯電話機１の台数に応じて発光対象となる発光体を選択して発光するようにしたので、載置された順番をユーザに適切に認識させることができる。
【００９６】
充電装置２は、携帯電話機１が載置された場合に、既に載置されている携帯電話機１の台数に基づいて発光体ＬＥＤ（１）の発光色を特定して、その発光色で発光させると共に、この発光体ＬＥＤ（１）の発光色に基づいて、発光体ＬＥＤ（２）の発光色を特定して、その発光色で発光させるようにしたので、載置面２ａの発光体ＬＥＤ（１）の発光色に対応した色で側面２ｂの発光体ＬＥＤ（１）を発光させることができる。
【００９７】
充電装置２は、携帯電話機１が載置された場合に、既に載置されている携帯電話機１の台数に基づいて発光体ＬＥＤ（１）の発光色を特定して、その発光色で発光させると共に、この発光体ＬＥＤ（１）の発光色に基づいて、発光体ＬＥＤ（２）の発光色を特定して、その発光色で発光させるようにしたので、載置面２ａの発光体ＬＥＤ（１）の発光色に対応した色で側面２ｂの発光体ＬＥＤ（１）を発光させることができる。
【００９８】
充電装置２は、複数の発光体ＬＥＤ（１）を携帯電話機１の載置面にそれぞれ配設し、発光体ＬＥＤ（２）をこの載置面とは異なる面にそれぞれ配設するようにしたので、異なる面に配設されている発光体ＬＥＤ（１）と発光体ＬＥＤ（２）で携帯電話機１の載置位置や載置された順番をユーザに適切に認識させることができる。
【００９９】
充電装置２は、携帯電話機１への充電状況に基づいて特定した発光色で発光させるようにしたので、携帯電話機１の充電状況をユーザに適切に認識させることができる。
【０１００】
携帯電話機１は、その充電状況に基づいて特定した発光色で発光体ＬＥＤ（０）を発光させるようにしたので、携帯電話機１の充電状況をユーザに適切に認識させることができる。
【０１０１】
なお、上述した第２実施形態において携帯電話機１は、充電装置２に載置された際に、充電装置２側の発光方法特定情報記憶部Ｍ２３の内容を受信して、携帯電話機１側の発光方法特定情報記憶部Ｍ１４として記憶（コピー）するほか、充電装置２側で検出された台数を受信して、載置状況記憶部Ｍ１５に記憶するようにしたが、充電装置２側では、検出台数に基づいて発光方法特定情報記憶部Ｍ２３を検索し、検出台数に対応する発光色特定情報Ａを携帯電話機１に送信し、携帯電話機１側では、充電装置２からの発光色特定情報Ａを受信して載置状況記憶部Ｍ１５に記憶するようにしてもよい。同様に、充電装置２側で検出した充電状況に基づいて発光方法特定情報記憶部Ｍ２３を検索し、充電状況に対応する発光色特定情報Ｂを携帯電話機１に送信し、携帯電話機１側では、充電装置２からの発光色特定情報Ｂを受信して載置状況記憶部Ｍ１５に記憶するようにしてもよい。この場合、携帯電話機１側の発光方法特定情報記憶部Ｍ１４を設けずに、充電装置２側のみに発光方法特定情報記憶部Ｍ２３を設けるようにすればよく、また、充電装置２側で検出された台数の送受信も不要としてもよい。
【０１０２】
また、上述した各実施形態においては、携帯電話機１と充電装置２との間での電磁誘導方式によって充電を行う場合を示したが、電磁共鳴方式などの任意の方式によって非接触充電を行うようにしてもよく、また、任意の方式によって接触充電を行うようにしてもよい。
【０１０３】
また、図１０のステップＡ２及び図１１のステップＢ２では、携帯電話機１と充電装置２との間での電磁誘導作用による起電力が所定値よりも大きいことを条件に載置を検出するようにしたが、電磁共鳴作用が所定値よりも大きいことを条件に載置を検出するようにしてもよく、また、接触センサなどの任意の検出方法で載置を検出するようにしてもよい。
【０１０４】
上述した各実施形態において、充電装置２は、今回の携帯電話機１の載置は何台目であるかの台数を検出する際に、載置状況記憶部Ｍ２５を参照して、その最新の「台数（最大値）」に“１”を加算することによって、今回の携帯電話機１の載置を含めた合計の載置台数を求めるようにしているが、今回の載置を含めず、既に載置中の携帯電話機１の台数を求めるようにしてもよい。この場合、載置面２ａに多数のセンサを配設することによって載置中の携帯電話１は何台あるかを実際に検出するようにしてもよい。
【０１０５】
上述した各実施形態においては、携帯電話機１及び充電装置２側に配設した発光体として、ＬＥＤを示したが、着色型蛍光管など、任意の発光体であってもよい。
上述した各実施形態においては、携帯電話機１の載置位置を発光体によって明示するようにしたが、例えば、液晶表示部などを利用した文字やマークによる明示、音声による明示など、載置位置をユーザが認識可能な任意の明示方法であってもよい。
上述した各実施形態においては、既に載置されている携帯電話機１の台数を発光体の色を変えることによって明示するようにしたが、例えば、液晶表示部などを利用した文字やマークによる明示、音声による明示など、載置台数をユーザが認識可能な任意の明示方法であってもよい。
【０１０６】
上述した各実施形態においては、位置検出部２６を接触センサで構成することによって接触位置を載置位置とする検出方法を示したが、これに限らず、例えば、重さセンサ、明るさセンサなどを利用することによって載置位置を検出するなど、任意の検出方法であってもよい。
【０１０７】
また、上述した各実施形態において、“載置”とは充電装置２の上に携帯電話機１を載せる場合に限らず、例えば、携帯電話機１の上に充電装置２を載せたり、横向き状態の携帯電話機１と充電装置２とを近接させたり、その他、立てかけ式の充電装置２では、携帯電話機１を吊したりする場合など、携帯電話機１への充電が可能となるように、携帯電話機１と充電装置２とを任意の方向から接続することも含めるようにしてもよい。この場合、充電装置２の筐体の全体形状も矩形の箱体に限らず、任意である。
【０１０８】
上述した各実施形態においては、折り畳みタイプの携帯電話機に適用したが、ストレートタイプ、スライドタイプ、スピントップタイプなど任意の筐体構造であってもよい。また、上述した実施形態においては、端末装置として携帯電話機を例示したが、これに限らず、例えば、パーソナルコンピュータ、ＰＤＡ、デジタルカメラ、音楽プレイヤー、それらの複合機など、任意の端末装置であってもよい。
【０１０９】
上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【０１１０】
１  携帯電話機
２  充電装置
２ａ  載置面
２ｂ  側面
３  無線通信網
１１、２１  中央制御部
１２  電池部
１３、２３  記憶部
１６  表示部
１７、２７  操作部
２０  非接触通信部
２４  充電部
２５  非接触通信部
２６  位置検出部
２８  発光部
ＬＥＤ（０）、ＬＥＤ（１）、ＬＥＤ（２）  発光体
ＴＯＳ  接触センサ
Ｍ１１、Ｍ２１  プログラム記憶部
Ｍ１４、Ｍ２３  発光方法特定情報記憶部
Ｍ１５、Ｍ２５  載置状況記憶部
【図１】
0005569952.tif 000002
【図２】
0005569952.tif 000003
【図３】
0005569952.tif 000004
【図４】
0005569952.tif 000005
【図５】
0005569952.tif 000006
【図６】
0005569952.tif 000007
【図７】
0005569952.tif 000008
【図８】
0005569952.tif 000009
【図９】
0005569952.tif 000010
【図１０】
0005569952.tif 000011
【図１１】
0005569952.tif 000012
【図１２】
0005569952.tif 000013
【図１３】
0005569952.tif 000014
【図１４】
0005569952.tif 000015
【図１５】
0005569952.tif 000016
【図１６】
0005569952.tif 000017
【図１７】
0005569952.tif 000018
【図１８】
0005569952.tif 000019
【図１９】
0005569952.tif 000020
【図２０】
0005569952.tif 000021
【図２１】
0005569952.tif 000022
【図２２】
0005569952.tif 000023